(57)【要約】【課題】 着用時の快適使用感を得ることができる男性用下着を提供する。【解決手段】男性用下着１では、前布部８の左右一対の固定部８３，８３の上端部８３Ａ，８３Ａを結ぶ仮想線Ｋよりも、窓部６の下端部６Ａが、股下部４側になるように形成されている。この構造により、着用者が男性用下着１を着用した状態で、窓部６から露出される着用者の陰のうの根本側に窓部６の開口部の下端部６Ａが食い込むことが無く、押圧感により使用者に不快な思いをさせることが防止できる。【選択図】 図３
2014084539.tif 000002
【特許請求の範囲】
【請求項１】
上部のウエスト開口部、左右のレッグ開口部及び該レッグ開口部の間の股下部を有する布製のパンツ本体と、
該パンツ本体の前部に設けられ、使用者の陰のう及び陰茎を露出させる窓部と、
該窓部を含む前記パンツ本体の前部を覆い、前記ウエスト開口部の縁部側と前記股下部側との間にわたって配され、前記窓部から露出される前記陰のう及び陰茎を覆い隠す袋状底部が形成される布製の前布部と、
該前布部の前記袋状底部に近接する上方位置の左右両側に各々配置され、前記パンツ本体の前部の表面と前記前布部の左右両側の側縁との間で前記袋状底部内に外気を出入り可能として形成される通気開口部と、
前記各通気開口部の下部に各々設けられ、前布部を前記パンツ本体に固定する所定長さの固定部と
を備え、
前記窓部は、前記パンツ本体の前部において、上下方向に所定長さ開口した開口部であり、その開口部の下端部は、前記左右の固定部の上端部を結ぶ仮想線より前記股下部方向まで形成されていることを特徴とする男性用下着。
【請求項２】
前記窓部の開口部の下端部は、前記パンツ本体の前部と前記股下部との接続部まで延設されていることを特徴とする請求項１に記載の男性用下着。
【請求項３】
前記固定部は、縫製により形成されていることを特徴とする請求項１又は２に記載の男性用下着。
【発明の詳細な説明】
【技術分野】
【０００１】
本発明は、着用時の快適使用感を得ることができる男性用下着に関する。
【背景技術】
【０００２】
従来、男性用下着の一種であるパンツとして、図７に示すように、上部のウエスト開口部１０２、左右のレッグ開口部１０３及び該レッグ開口部１０３の間の股下部を有する布製のパンツ本体１０１と、該パンツ本体１０１の前部１５１に設けられ、使用者の陰のう２１及び陰茎２２を露出させる窓部１０６と、該窓部１０６を含む前記パンツ本体の前部１５１を覆い、前記ウエスト開口部１０２の縁部側と前記股下部１０４側との間にわたって配され、前記窓部１０６から露出される陰のう２１及び陰茎２２を収納する袋状底部１０９が形成される布製の前布部１０８を備えたものが知られている。（特許文献１参照）。
【先行技術文献】
【特許文献】
【０００３】
【特許文献１】実開平１−７０８０３号公報
【発明の概要】
【発明が解決しようとする課題】
【０００４】
しかし、特許文献１に記載のパンツでは、窓部１０６の下端部１０６Ａが陰のう２１に食い込んで、押圧感により使用者に不快な思いをさせるという問題点があった。
【０００５】
本発明は、上記課題を解決するために成されたものであり、着用時の快適使用感を得ることができる男性用下着を提供することを目的とする。
【課題を解決するための手段】
【０００６】
本発明の一態様の男性用下着は、上部のウエスト開口部、左右のレッグ開口部及び該レッグ開口部の間の股下部を有する布製のパンツ本体と、該パンツ本体の前部に設けられ、使用者の陰のう及び陰茎を露出させる窓部と、該窓部を含む前記パンツ本体の前部を覆い、前記ウエスト開口部の縁部側と前記股下部側との間にわたって配され、前記窓部から露出される前記陰のう及び陰茎を覆い隠す袋状底部が形成される布製の前布部と、該前布部の前記袋状底部に近接する上方位置の左右両側に各々配置され、前記パンツ本体の前部の表面と前記前布部の左右両側の側縁との間で前記袋状底部内に外気を出入り可能として形成される通気開口部と、前記各通気開口部の下部に各々設けられ、前布部を前記パンツ本体に固定する所定長さの固定部とを備え、前記窓部は、前記パンツ本体の前部において、上下方向に所定長さ開口した開口部であり、その開口部の下端部は、前記左右の固定部の上端部を結ぶ仮想線より前記股下部方向まで形成されていることを特徴とする。
【０００７】
上記構成とすることにより、着用者の陰のう及び陰茎は窓部から露出された状態で前布部の袋状底部で覆い隠されるように保持することができ、スポーツなどの激しい動きがともなっても快適なサポート着用感が得られる。さらに、袋状底部でサポートされている着用者の陰のう及び陰茎を、前布部の左右側に設けられる通気開口部に手を通すことができるため、左利きや右利きによらず、サポート位置を直したり、放尿時に露出させることが容易にできる男性用下着を提供できる。しかも、発汗時においても通気開口部から直接外気が出入りされるため、ムレ、カブレなどの皮膚疾患や不快感を低減する男性用下着を提供できる。また、窓部の開口部の下端部は、前記左右の固定部の上端部を結ぶ仮想線より前記股下部方向まで形成されているので、窓部の開口部の下端部が使用者の陰のうに食い込むことが無く、使用者に不快な思いをさせることがない。従って、着用時の快適使用感を得ることができる。
【０００８】
また、前記窓部の開口部の下端部は、前記パンツ本体の前部と前記股下部との接続部まで延設されているようにしてもよい。この場合には、窓部の開口部の下端部は、前記パンツ本体の前部と前記股下部との接続部まで延設されているので、窓部の開口部の下端部が使用者の陰のうに食い込むことを十分に防止でき、使用者に不快な思いをさせることがない。従って、着用時の快適使用感を得ることができる。
【０００９】
また、前記固定部は、縫製により形成されるようにしてもよい。この場合には、固定部は、ミシンによる縫製により簡単に形成できる。
【図面の簡単な説明】
【００１０】
【図１】男性用下着１の正面図である。
【図２】男性用下着１の右斜め上方から見た斜視図である。
【図３】男性用下着１を裏返した状態で前部を見た図である。
【図４】男性用下着１の股下部４及びその近傍を内側から見た平面図である。
【図５】男性用下着１を使用者が着用した状態を示す縦断面図である。
【図６】変形例の男性用下着１の股下部４及びその近傍を内側から見た平面図である。
【図７】従来の男性用下着を使用者が着用した状態を示す縦断面図である。
【発明を実施するための形態】
【００１１】
以下、本発明の一実施の形態の男性用下着１を図面を参照して説明する。なお、以下の説明では、左右、前後、上下などの記載は、着用者にとっての方向を意味する。従って、図１における上、下、左、右を男性用下着１の上、下、右、左とし、紙面の表側を前、紙面の裏側を後とする。
【００１２】
図１及び図２に示すように、男性用下着１は、着用者の腰にフィットさせるために上部に配されるウエスト開口部２と、着用者の脚を通すために左右に配されるレッグ開口部３と、このレッグ開口部３の間に配される股下部４を有するパンツ本体５から構成される。このパンツ本体５の材質としては伸縮性を有する綿、絹、ウール、あるいは合成繊維などの布があげられる。
【００１３】
ウエスト開口部２には縁部７が設けられる。この縁部７は着用者の腰位置に相当する部分であり、パンツ本体５の最上部に設けられている。この縁部７は弾性部材から構成されており、一例として、ゴム状部材から構成される。この縁部７の弾性力によって腰にフィットさせるようにして着用後のズレ落ちを防止している。
【００１４】
パンツ本体５の前身頃としての前部５１には、図３に示すように着用者の陰のう２１及び陰茎２２を露出させる窓部６が設けられている。図３は男性用下着１を裏返した状態で前部を見た図である。窓部６は図３に示すように、上下方向を長手として前部５１を形成する布材にスリット状に形成される開口部である。窓部６は布材の柔軟性によって開口されることとなる。
【００１５】
尚、図４に示すように、股下部４は、平面視、略長方形のマチ４Ａから構成されている。図４に示すマチ４Ａの後部には、パンツ本体５の後身頃としての後部布５２が縫着され接続部４Ｂとなっている。また、マチ４Ａの前部は、前部５１に縫着され接続部４Ｃとなっている。尚、マチ４Ａは、通常の男性用パンツのマチよりも幅Ｌが半分程度になっている。
【００１６】
次に、図１及び図２を参照して、パンツ本体５の窓部６を覆う前布部８について説明する。この前布部８はウエスト開口部２の縁部７側と股下部４側との間にわたって配されている。この前布部８は、所定の伸縮性を有する綿、絹、ウール、あるいは合成繊維などの布製によって、全体が概ね逆台形状に形成される布からなる。この前布部８は後述するように着用者の陰のう２１及び陰茎２２に直接触る部分を含んでいる。前布部８は左右方向の中央部８４で縫い合わされて、図２及び図５に示すように、前側に膨らむ立体形状に形成されている。
【００１７】
また、図４及び図５に示すように、前布部８の下端辺８６側は、パンツ本体５の股下部４側のマチ４Ａに縫着されている。また、図１及び図２に示すように前布部８の上端辺８７側は、パンツ本体５の縁部７側に縫着されている。また、図１〜図４に示すように、前布部８の下端辺８６（図５参照）側の左右両端部には、下端辺８６から上端辺８７方向に所定長さ縫着された固定部８３が各々設けられている。従って、前部５１と左右両側の固定部８３と前布部８と接続部４Ｃとの間に図１、図２及び図５に示すように、袋状底部８５が形成されている。図５に示すように、この袋状底部８５に陰のう２１及び陰茎２２が収納される。袋状底部８５が陰のう２１及び陰茎２２のほぼ全体を包み込むようにした状態で下方に垂れ下がるように保持することで、使用者に対して男性用下着１のサポート着用感を向上させている。
【００１８】
この前布部８の左右一対の固定部８３，８３の上側は、各々、開口された通気開口部８１となっている。通気開口部８１は、固定部８３の上端部８３Ａから前布部８の上端辺８７まで開口されている。この前布部８の左右端部に形成された通気開口部８１，８１を有しているため、サポート機能が高くなっても袋状底部８５内には外気が導入、導出されることにより袋状底部８５内を乾燥状態へと導くことが可能となる。また、前布部の左右側に設けられる通気開口部９に手を通すことができるため、左利きや右利きによらず、着用者の陰のう２１及び陰茎２２のサポート位置を直したり、放尿時に露出させることが容易にできることとなる。また、前部５１と左右両側の固定部８３と前布部８と接続部４Ｃとの間に袋状底部８５が形成されているので、左右両側の通気開口部８１，８１を設けながら、袋状底部８５の左右両側の固定部８３，８３が使用者の陰のう２１が外に露出することを防止する。
【００１９】
次に、本実施の形態の男性用下着１の構造のポイントを説明する。図３及び図４に示すように、前布部８の左右一対の固定部８３，８３の上端部８３Ａ，８３Ａを結ぶ仮想線Ｋよりも、窓部６の下端部６Ａが、股下部４側になるように形成されている。
【００２０】
この構造により、図５に示すように着用者が男性用下着１を着用した状態で、窓部６から露出される着用者の陰のう２１の根本側に窓部６の開口部の下端部６Ａが食い込むことが無く、押圧感により使用者に不快な思いをさせることが防止できる。従って、着用時の快適使用感を得ることができる。
【００２１】
以上、本発明の一実施の形態を説明したが、これらはあくまで例示にすぎず、本発明はこれらに限定されるものではない。例えば、固定部８３や接続部４Ｂ，４Ｃ等の縫着部は、ミシンによる縫製に限られず、接着又は溶着等で形成してもよい。また、窓部６は、スリット状の開口部に限られず、２枚の布の端部が所定幅重なる開口部であってもよい。また、図６に示すように、マチ４Ａを無くして、後部布５２を延設して股下部４として、後部布５２と前部５１とを接続部４Ｃで縫着してもよい。この場合には、マチ４Ａを縫製する手間が無くなる。
【符号の説明】
【００２２】
１  男性用下着
２  ウエスト開口部
３  レッグ開口部
４  股下部
４Ａ  マチ
４C  接続部
５  パンツ本体
６  窓部
６Ａ  下端部
７  縁部
８  前布部
９  通気開口部
２１  陰のう
２２  陰茎
５１  前部
５２  後部布
８３  固定部
８３Ａ  上端部
８４  中央部
８５  袋状底部
８６  下端辺
８７  上端辺
【図１】
2014084539.tif 000003
【図２】
2014084539.tif 000004
【図３】
2014084539.tif 000005
【図４】
2014084539.tif 000006
【図５】
2014084539.tif 000007
【図６】
2014084539.tif 000008
【図７】
2014084539.tif 000009